(57)【要約】【課題】  従来の可動ヤーンガイドによる巻き付け休止位置から巻き付け位置へ変位する時の糸切れの問題並びに巻き付け位置から巻き付け休止位置へ変位する時の糸緩みの問題を解消することができる糸道規制ガイド付回転給糸装置及び糸道規制ガイド付サンプル整経機を提供する。【解決手段】  サンプル整経機の整経ドラムに糸を巻き付けるための糸道規制ガイド付回転給糸装置であって、複数個のボビンと、前記ボビンから引き出された糸を前記整経ドラムに巻き付ける複数本の固定ヤーンガイドと、前記固定ヤーンガイドの近傍に設けられるとともに、前記ボビンから引き出されかつ前記ヤーンガイドを介した糸を前記整経ドラムに巻き付けられる巻き付け糸と前記整経ドラムに巻き付けられない休止糸とにその糸道を規制するように変位する可動糸道規制ガイドと、からなるようにした。【選択図】  図６
2007031846.tif 000002
【特許請求の範囲】
【請求項１】
サンプル整経機の整経ドラムに糸を巻き付けるための糸道規制ガイド付回転給糸装置であって、
複数個のボビンと、前記ボビンから引き出された糸を前記整経ドラムに巻き付ける複数本の固定ヤーンガイドと、
前記固定ヤーンガイドの近傍に設けられかつ前記ボビンから引き出された糸を前記整経ドラムに巻き付けられる巻き付け糸と前記整経ドラムに巻き付けられない休止糸とにその糸道を規制するように変位する可動糸道規制ガイドと、
からなることを特徴とする糸道規制ガイド付回転給糸装置。
【請求項２】
請求項１記載の糸道規制ガイド付回転給糸装置と、前記回転給糸装置に相対向して設けられた整経ドラムとからなる糸道規制ガイド付サンプル整経機。
【発明の詳細な説明】
【技術分野】
【０００１】
本発明は、予め設定された柄データ（糸配列順、色糸配列順）に従い、複本数同時整経による柄整経ができるサンプル整経機の新規な糸道規制ガイド付回転給糸装置及び糸道規制ガイド付サンプル整経機に関するものである。
【背景技術】
【０００２】
従来使用されているサンプル整経機の回転給糸装置及びサンプル整経機としては、例えば、特許文献１及び特許文献２に開示された構造、即ちヤーンガイドを変位させることによって整経ドラムに巻き付ける糸と整経ドラムに巻き付けない糸に選択するものが知られている。
【０００３】
また、本出願人は、内ドラム板及び外ドラム板を備えた整経ドラムと、該整経ドラムの外ドラム板に相対向して設けられかつ複数個のボビンを有する回転クリールと、該回転クリールの回転と同期的に回転しかつ該ボビンから引き出された糸を該整経ドラムに巻き付ける複数本のヤーンガイドと、該ボビンから引き出されかつ該整経ドラムに巻き付ける巻付糸と該整経ドラムに巻き付けない休止糸とに分ける糸巻付切替手段と、該休止糸を回収する糸回収機構とからなる糸回収機構付サンプル整経機を提案し、好評を得ている（特願２００４−０２３４８８）。
【０００４】
しかし、これら従来の技術では、ヤーンガイドが整経ドラムに巻き付けない糸の巻き付け休止位置から整経ドラムに巻き付ける糸の巻き付け位置に変位した瞬間に、糸はヤーンガイドの変位距離の約１.５倍の長さ分瞬時に引き出される状態となり、糸の負担が大きくなり過張力が発生し、糸切れの原因となっていた。
【０００５】
従来の可動ヤーンガイドにより糸を変位させる場合の一部切り欠き説明図を図１２及び図１３に示す。図１２及び図１３において、符号１００はヤーンガイドを示し、糸１０２を整経ドラム１０４上に巻き付ける役目を担うものである。図示例では、ヤーンガイド１００は、ヤーンガイド支持盤１０６上に取り付けられており、このヤーンガイド支持盤１０６には糸１０２をヤーンガイド１００にガイドするための糸ガイド１０８が設けられている。符号１１０は、整経ドラム１０４の長手方向に設けられたドラムスポークであり、整経ドラム上１０４にはさらにドラムスポーク１１０に平行して移動可能に設置されたコンベアベルト１１２が設けられている。コンベアベルト１１２には、糸１０２の整列巻きを行うためのガイド手段１１４が設けられている。整列巻きを行うにあたっての一般的な構成については、既に公知である（例えば、特許文献３）。
【０００６】
従来の可動ヤーンガイドにより巻き付け休止位置から巻き付け位置に変位した時の糸の引き出し長を説明した図を図１２に示す。図１２に示すように、ヤーンガイド１００が糸１０２の巻き付け休止位置Ｂから糸の巻き付け位置Ａに変位した場合（測定支点位置を仮に５００ｍｍ離れた休止中の糸の位置から測定した場合）には、巻き付け位置Ａにおける整経ドラム１０４の長手方向への糸１０２の引き出し長が３１４．２ｍｍ、巻き付け位置Ａにおける整経ドラム１０４の短手方向への糸１０２の引き出し長が５３９．１ｍｍ、そして、巻き付け休止位置Ｂにおける整経ドラム１０４の長手方向への糸１０２の引き出し長が２１２．５ｍｍ、巻き付け位置Ｂにおける整経ドラム１０４の短手方向への糸１０２の引き出し長が４４５ｍｍであるので、引き出される糸長は、１９５．８ｍｍ（３１４．２ｍｍ＋５３９．１ｍｍ−２１２．５ｍｍ−４４５ｍｍ＝１９５．８ｍｍ）となる。これはヤーンガイド１００が巻き付け休止位置Ｂから巻き付け位置Ａに変位する距離の約１.５倍に相当する。
【０００７】
一方、ヤーンガイド１００が整経ドラム１０４に巻き付ける糸１０２の巻き付け位置Ａから整経ドラム１０４に巻き付けない糸の巻き付け休止位置Ｂに変位した瞬間に、糸１０２はヤーンガイド１００の変位距離の約１.５倍の長さ分瞬時に緩むため、この緩みを取り除く大きなダンパー式テンション装置（例えば、クロコダイルテンサーと呼ばれるスプリングを用いたワニ口形の糸緩みどりテンション装置）が必要であった。
【０００８】
次に、従来の可動ヤーンガイドにより巻き付け位置から巻き付け休止位置に変位した時の糸の緩み長を説明した図を図１３に示す。図１３に示すように、ヤーンガイド１００が糸１０２の巻き付け位置Ａから糸の巻き付け休止位置Ｂに変位した場合（測定支点位置を仮に５００ｍｍ離れた巻付中の糸の位置から測定した場合）には、巻き付け位置Ａにおける整経ドラム１０４の長手方向への糸１０２の引き出し長が３１４．２ｍｍ、巻き付け位置Ａにおける整経ドラム１０４の短手方向への糸１０２の引き出し長が５２８．３ｍｍ、そして、巻き付け休止位置Ｂにおける整経ドラム１０４の長手方向への糸１０２の引き出し長が２１２．５ｍｍ、巻き付け位置Ｂにおける整経ドラム１０４の短手方向への糸１０２の引き出し長が４５７．８ｍｍであるので、糸１０２の緩み長は、１７２．２ｍｍ（３１４．２ｍｍ＋５２８．３ｍｍ−２１２．５ｍｍ−４５７．８ｍｍ＝１７２．２ｍｍ）となる。これはヤーンガイド１００が巻き付け位置Ａから巻き付け休止位置Ｂに変位する距離の約１.５倍に相当する。
【０００９】
このように、従来の技術では、巻き付け休止位置から巻き付け位置にヤーンガイドが変位するとヤーンガイドの変位距離の約１.５倍の長さ分の糸が瞬時に引き出されるため、糸切れの原因となるし、巻き付け位置から巻き付け休止位置にヤーンガイドが変位するとヤーンガイドの変位距離の約１.５倍の長さ分の糸が瞬時に緩むので糸緩みの原因となっていた。
【特許文献１】特許第３４５４８０５号
【特許文献２】特開２００４−３４６４７７号
【特許文献３】特許第２８５４７８９号
【発明の開示】
【発明が解決しようとする課題】
【００１０】
本発明者は、上記した問題点を解消した新規な機構を有するサンプル整経機の給糸装置及びサンプル整経機を開発すべく研究を重ねた結果、ヤーンガイドを可動式から固定式に変更し、このヤーンガイド近傍に糸道規制ガイドを設け、この糸道規制ガイドを動作せしめて整経ドラムに巻き付ける糸と整経ドラムに巻き付けない糸に選択することにより、上記した糸切れや糸緩みの問題を解消することができるという知見を得ることにより、本発明に到達したものである。
【００１１】
本発明の目的は、従来の可動ヤーンガイドによる巻き付け休止位置から巻き付け位置へ変位する時の糸切れの問題並びに巻き付け位置から巻き付け休止位置へ変位する時の糸緩みの問題を解消することができる糸道規制ガイド付回転給糸装置及び糸道規制ガイド付サンプル整経機を提供することにある。
【課題を解決するための手段】
【００１２】
上記課題を解決するために、本発明の糸道規制ガイド付回転給糸装置は、サンプル整経機の整経ドラムに糸を巻き付けるための糸道規制ガイド付回転給糸装置であって、
複数個のボビンと、前記ボビンから引き出された糸を前記整経ドラムに巻き付ける複数本の固定ヤーンガイドと、
前記固定ヤーンガイドの近傍に設けられるとともに、前記ボビンから引き出されかつ前記ヤーンガイドを介した糸を前記整経ドラムに巻き付けられる巻き付け糸と前記整経ドラムに巻き付けられない休止糸とにその糸道を規制するように変位する可動糸道規制ガイドと、からなることを特徴とするものである。
【００１３】
このように構成すれば、従来の可動ヤーンガイドを用いた回転給糸装置と比べて、糸の過張力及び糸緩みが発生しないので、糸切れ及び糸緩みの問題が生じない。
【００１４】
また、本発明の糸道規制ガイド付サンプル整経機は、上記糸道規制ガイド付回転給糸装置と、前記糸道規制ガイド付回転給糸装置に相対向して設けられた整経ドラムとから構成される。
【発明の効果】
【００１５】
本発明の糸道規制ガイド付回転給糸装置及び糸道規制ガイド付サンプル整経機によれば、従来の可動ヤーンガイドによる巻き付け休止位置から巻き付け位置へ変位する時の糸切れの問題並びに巻き付け位置から巻き付け休止位置へ変位する時の糸緩みの問題を解消することができる。
【発明を実施するための最良の形態】
【００１６】
以下に、本発明の実施の形態を添付図面に基づいて説明するが、図示例はあくまでも例示的なものであり、本発明の技術思想から逸脱しない限り図示例以外にも種々の変形が可能なことはいうまでもない。
【００１７】
図１は、本発明の糸道規制ガイド付回転給糸装置及び糸道規制ガイド付サンプル整経機の一つの実施の形態を示す概略説明図である。図２は図１の要部の拡大図である。図３は本発明の糸道規制ガイド付回転給糸装置及び糸道規制ガイド付サンプル整経機の一つの実施の形態を示す断面的概略説明図である。図４は糸の巻き付け状態を示す要部拡大図である。図５は整経ドラムとヤーンガイドの摘示拡大正面図である。図６は可動糸道規制ガイドの動きを示す一部切り欠き概略説明図である。図７は図６のＸ−Ｘ’線方向から見た一部切り欠き概略図である。
【００１８】
図８は整経ドラムへの巻き付けを示す一部切り欠き概略図である。図９は巻き付け休止を示す一部切り欠き概略図である。図１０はヤーンガイド及び可動糸道規制ガイドにより巻き付け休止位置から巻き付け位置に変位した時の糸の引き出し長を示す一部切り欠き概略説明図である。図１１はヤーンガイド及び可動糸道規制ガイドにより巻き付け位置から巻き付け休止位置に変位した時の糸の緩み長を示す一部切り欠き概略説明図である。
【００１９】
図１において、符号１０は本発明の糸道規制ガイド付回転給糸装置を示す。糸道規制ガイド付回転給糸装置１０は、同種及び／又は異種の糸を巻いてある複数個のボビン１２と、ボビン１２から引き出された糸を整経ドラムに巻き付ける複数本のヤーンガイド１４と、ヤーンガイド１４の近傍に設けられるとともに、前記ボビン１２から引き出されかつ前記ヤーンガイド１４を介した糸を整経ドラムに巻き付けられる巻き付け糸と整経ドラムに巻き付けられない休止糸とにその糸道を規制するように変位する可動糸道規制ガイド１６と、を含むものである。符号１８は、本発明の糸道規制ガイド付サンプル整経機を示し、糸道規制ガイド付サンプル整経機１８は、整経ドラム２０と、この整経ドラム２０に相対向して設けられた糸道規制ガイド付回転給糸装置１０とから構成される。なお、符号２２は整経ドラム上の糸を製織用ビームに巻返す巻取機を示す。サンプル整経機の基本的構成及び作用については上記した特許公報等により広く知られており、詳細な説明は省略する。
【００２０】
糸道規制ガイド付回転給糸装置１０を含む糸道規制ガイド付サンプル整経機１８の構成について図１〜図５に基づいてさらに具体的に説明する。
【００２１】
特に図３によく示される如く、整経ドラム２０は、内ドラム面２４と、この内ドラム面２４に相対向して設けられた外ドラム面２６と、内ドラム面２４及び外ドラム面２６を介して横架された複数本のドラムスポーク２８と、ドラムスポーク２８に平行して移動可能に設置されたコンベアベルト３０とから構成されている。符号３２はコンベアベルト用駆動ローラであり、３４，３６，３８はコンベアベルト用ガイドローラである。このコンベアベルト３０は整経ドラム２０上に巻き付けた糸を搬送する搬送ベルトである。
【００２２】
符号４０は床４２上に設置された整経機フレームである。整経機フレーム４０には主軸パイプ４４が水平方向に突設されている。主軸パイプ４４には上記整経ドラム２０が回転可能に取り付けられている。４６，４６は主軸メタルである。この整経ドラム２０は、整経時には不図示のドラムロック機構により固定され、整経した糸を製織用ビームに巻き返す際はロックが解除され回転可能となる。
【００２３】
なお、上記整経ドラム２０の下方にはスライドベースを設置するとともに、上記主軸パイプ４４と平行する方向にスライドレール５０を設けることにより、整経ドラム２０を移動可能に載置し、整経ドラム２０が上記糸道規制ガイド付回転給糸装置１０に対して接離可能に構成されている（不図示）。
【００２４】
符号５２は糸道規制ガイド付回転給糸装置１０の回転給糸装置フレームであり、回転給糸装置フレーム５２の上面には軸受メタル５３を介してドライブシャフト５４が回転可能に設置されている。ドライブシャフト５４はプーリベルト５６を介してドライブモータ５８によって駆動せしめられる。前記ドライブシャフト５４にはクリール６０が取り付けられており、クリール６０はドライブシャフト５４の回転とともに回転する（図３参照）。
【００２５】
回転クリール６０は支持プレート６３を有しており、支持プレート６３には異種及び／又は同種の糸６４を巻いてある複数本のボビン１２を立てることができる。６６はボビン１２の前方に支持シャフト６８を介して設けられたガイドプレートで、ボビン１２からの糸６４をガイドする作用を行う。
【００２６】
ドライブシャフト５４の先端部にはヤーンガイド支持盤７０が取り付けられており、ヤーンガイド支持盤７０には複数本のヤーンガイド１４が固定して取り付けられている。これによりヤーンガイド１４は固定式、すなわち不動状態とされている。一方、ヤーンガイド支持盤７０にはさらに、可動糸道規制ガイド１６が各ヤーンガイド１４に対応してヤーンガイド１４の近傍に可動自在に設けられている。
【００２７】
そして、ヤーンガイド支持盤７０はドライブシャフト５４の回転とともに前記回転クリール６０と同軸的に回転し、それによりヤーンガイド１４と可動糸道規制ガイド１６とが回転する。可動糸道規制ガイド１６は、前記ボビン１２から引き出されかつ前記ヤーンガイド１４を介した糸６４を整経ドラム２０に巻き付ける巻き付け糸６４と整経ドラム２０に巻き付けない休止糸６４（休止糸は６４ａとして示す場合がある）とにその糸道を規制する作用を行う。
【００２８】
可動糸道規制ガイド１６については、添付図面に基づき、さらに詳しく説明する。
【００２９】
図６に示すように、各ヤーンガイド１４に対応してヤーンガイドの近傍に設けられた可動糸道規制ガイド１６は、巻き付け位置Ｐ１と巻き付け休止位置Ｐ２との間を変位自在に構成されている。符号７４は、糸６４をヤーンガイド１４にガイドするための糸ガイドであって、各ヤーンガイド１４に対応して設けられている。
【００３０】
図７は、図６のＸ−Ｘ’線方向からみたものであり、可動糸道規制ガイド１６の駆動部を示した図である。７６はピニオンギア、７８はラックギア、８０はラックギア受け部、及び８２はエアシリンダをそれぞれ示し、エアシリンダ８２によってピニオンギア７６とラックギア７８とが噛み合うことにより可動糸道規制ガイド１６が可動とされている。このようにして、可動糸道規制ガイド１６は、図６に示したように、糸巻き付け位置Ｐ１及び糸巻き付け休止位置Ｐ２に変位することができるようになっている。
【００３１】
すなわち、図９に示すように可動糸道規制ガイド１６が糸巻き付け位置Ｐ１にある時糸６４は巻付位置に変位し、一方図１０に示すように可動糸道規制ガイド１６が糸巻き付け休止位置Ｐ２にある時は糸６４は整経ドラムから外れ巻付休止装置に変位する。
【００３２】
図示の例では、可動糸道規制ガイド１６の可動動作を、エアシリンダにより実現した例を示したが、図示例以外にも、内蔵モータやソレノイド等で可動とする構成が採用できることはいうまでもない。
【００３３】
また、図示の例では、可動糸道規制ガイド１６の先端をフック状に形成した例を示したが、先端をヤーンガイド１４と同様にアイレット（eyelet）状に形成する構成とすることも可能である。このようにヤーンガイド１４の先端をアイレット状に形成した方が、糸が強制的に変位するのでより好適である。
【００３４】
図５において、８３ａ〜８３ｅは綾取りバーであり、８４ａはカット綾上バー、８４ｂはカット綾下バーである。なお、綾取バーの基本的構成及び作用は上記した特許公報等により広く知られており、公知の構成及び作用についての詳細な説明は省略する。また、カット綾上バー８４ａ及びカット綾下バー８４ｂに平行して、ガイドパイプ８６ａ，８６ｂ及び導入ガイド８７が設けられている（図４及び図５参照）。
【００３５】
図５に示すように、ガイドパイプ８６ａは、糸６４が巻き付け状態から巻き付け休止状態の糸６４ａ1へと変化するのをガイドする役目を担い、ガイドパイプ８６ｂは、巻き付け休止状態の糸６４ａ2から巻き付け状態の糸６４へと変化するのをガイドする役目を担う。なお、９６は整経ドラム２０の外ドラム面２６側の端部に取り付けられたガイドロッドであり、糸６４が巻き付け状態から巻き付け休止状態の糸６４ａ1へ、そして巻き付け休止状態の糸６４ａ2から巻き付け状態の糸６４へと変化するのをガイドするものである。
【００３６】
前記整経ドラム２０の外ドラム板２６の中央部分の外方には、支持ロッド８８を介して糸回収ガイドプレート９０が設けられている（図３〜図５）。糸回収ガイドプレート９０の中央部には糸回収孔９２が穿設されている。９４はモータ等によって駆動される糸巻取リールで、糸回収孔９２から糸回収ガイドプレート９０の裏面側に誘導されてくる休止糸６４ａ及び整経始めの仕掛糸６４ａの回収巻取を行う。
【００３７】
なお、図示はされていないが、糸切断装置によって、糸６４が巻き付け状態から巻き付け休止状態へ変化した糸６４ａ1及び糸６４が巻き付け休止状態から巻き付け状態へと変化した糸６４ａ2の切断が行われる。上記した糸回収ガイドプレート９０及び糸巻取リール９４によって糸回収機構が構成される。この糸回収機構については、上記した特願２００４−０２３４８８に記載されたものを採用することができる。
【００３８】
可動糸道規制ガイド１６を用いて巻き付け休止位置から巻き付け位置に変位した時の糸の引き出し長を説明した図を図１０に示す。図１０に示すように、可動糸道規制ガイド１６が糸６４の巻き付け休止位置Ｐ２から糸の巻き付け位置Ｐ１に変位した場合（測定支点位置を仮に５００ｍｍ離れた位置から測定した場合）には、巻き付け休止位置Ｐ２では５６１．５ｍｍ（１９１．９ｍｍ＋３６９．６ｍｍ＝５６１．５ｍｍ）だった糸が、巻き付け位置Ｐ１に変位すると５３９．２ｍｍとなるので、糸６４が瞬間的には−２２．３ｍｍ引き出される（２２．３ｍｍ緩む）ことになる。したがって、過張力による糸切れは生じない。
【００３９】
次に、可動糸道規制ガイド１６を用いて巻き付け位置から巻き付け休止位置に変位した時の糸の緩み長を説明した図を図１１に示す。図１１に示すように、可動糸道規制ガイド１６が糸６４の巻き付け位置Ｐ１から糸の巻き付け休止位置Ｐ２に変位した場合（測定支点位置を仮に５００ｍｍ離れた位置から測定した場合）には、巻き付け位置Ｐ１では５２８．３ｍｍだった糸が、巻き付け休止位置Ｐ２に変位すると５７５．３ｍｍ（１９１．９ｍｍ＋３８３．４ｍｍ＝５７５．３ｍｍ）となるので、糸の緩み長は−４７ｍｍ（４７ｍｍ引き出される）である。したがって、従来のような糸緩みの問題は生じない。
【００４０】
このように、糸巻き付け休止状態から糸巻き付け状態への変換動作及び糸巻き付け状態から糸巻き付け休止状態への変換動作における過張力による糸切れ及び糸緩みが発生しないので、複本数同時整経による柄整経を効率よく短時間で行うことが可能となる。
【図面の簡単な説明】
【００４１】
【図１】本発明の糸道規制ガイド付回転給糸装置及び糸道規制ガイド付サンプル整経機の一つの実施の形態を示す概略説明図である。
【図２】図１の要部の拡大図である。
【図３】本発明の糸道規制ガイド付回転給糸装置及び糸道規制ガイド付サンプル整経機の一つの実施の形態を示す断面的概略説明図である。
【図４】糸の巻き付け状態を示す要部拡大図である。
【図５】整経ドラムとヤーンガイドの摘示拡大正面図である。
【図６】可動糸道規制ガイドの動きを示す一部切り欠き概略説明図である。
【図７】図６のＸ−Ｘ’線方向から見た一部切り欠き概略図である。
【図８】整経ドラムへの巻き付けを示す一部切り欠き概略図である。
【図９】巻き付け休止を示す一部切り欠き概略図である。
【図１０】ヤーンガイド及び可動糸道規制ガイドにより巻き付け休止位置から巻き付け位置に変位した時の糸の引き出し長を示す一部切り欠き概略説明図である。
【図１１】ヤーンガイド及び可動糸道規制ガイドにより巻き付け位置から巻き付け休止位置に変位した時の糸の緩み長を示す一部切り欠き概略説明図である。
【図１２】従来の可動ヤーンガイドにより巻き付け休止位置から巻き付け位置に変位した時の糸の引き出し長を説明した図である。
【図１３】従来の可動ヤーンガイドにより巻き付け位置から巻き付け休止位置に変位した時の糸の緩み長を説明した図である。
【符号の説明】
【００４２】
１０：糸道規制ガイド付回転給糸装置、１２：ボビン、１４：ヤーンガイド、１６：可動糸道規制ガイド、１８：糸道規制ガイド付サンプル整経機、２０，１０４：整経ドラム、２２：巻取機、２４：内ドラム面、２６：外ドラム面、２８，１１０：ドラムスポーク、３０，１１２：コンベアベルト、３２：コンベアベルト用駆動ローラ、４０：整経機フレーム、４２：床、４４：主軸パイプ、５０：スライドレール、５２：回転給糸装置フレーム、５３：軸受メタル、５４：ドライブシャフト、５６：プーリベルト、５８：ドライブモータ、６０：回転クリール、６２：ボビン、６３：支持プレート、６４，６４ａ，６４ａ1，６４ａ2，１０２：糸、６８：支持シャフト、７０，１０６：ヤーンガイド支持盤、７２，１１４：ガイド手段、７４，１０８：糸ガイド、７６：ピニオンギア、７８：ラックギア、８２：エアシリンダ、８４ａ：カット綾上バー、８４ｂ：カット綾下バー、８６ａ，８６ｂ：ガイドパイプ、８７：導入ガイド、８８：支持ロッド、９０：糸回収ガイドプレート、９２：糸回収孔、９４：糸巻取リール、１００：可動ヤーンガイド、Ａ，Ｐ１：糸の巻き付け位置：Ｂ，Ｐ２：糸の巻き付け休止位置。
【図１】
2007031846.tif 000003
【図２】
2007031846.tif 000004
【図３】
2007031846.tif 000005
【図４】
2007031846.tif 000006
【図５】
2007031846.tif 000007
【図６】
2007031846.tif 000008
【図７】
2007031846.tif 000009
【図８】
2007031846.tif 000010
【図９】
2007031846.tif 000011
【図１０】
2007031846.tif 000012
【図１１】
2007031846.tif 000013
【図１２】
2007031846.tif 000014
【図１３】
2007031846.tif 000015